【誤訳訂正書】
【提出日】平成26年9月8日(2014.9.8)
【誤訳訂正１】
【訂正対象書類名】特許請求の範囲
【訂正対象項目名】全文
【訂正方法】変更
【訂正の内容】
【特許請求の範囲】
【請求項１】
対話型情報作業領域を提供するための方法であって、以下の工程を含む方法:
作業領域管理処理システムにおいて、選択された一つまたは複数の圧縮情報オブジェクトおよび一つまたは複数のアプリケーションツールを獲得する工程;および
コンピューティングシステムにおいて、前記選択された一つまたは複数の圧縮情報オブジェクトおよび一つまたは複数のアプリケーションツールが読み込まれたデフォルトのカスタマイズ可能な対話型作業領域に基づいて、前記作業領域管理処理システムから、前記一つまたは複数のアプリケーションツールのうちの少なくとも一つが、カスタマイズされた対話型作業領域内からの前記一つまたは複数の圧縮情報オブジェクトのうちの少なくとも一つ、および該カスタマイズされた対話型作業領域と対話することを可能にするように構成された、ビデオゲーム表示グラフィカル・ユーザ・インターフェース形式の非ビデオゲームベースの情報のための該カスタマイズされた対話型作業領域を提供する工程。
【請求項２】
獲得する工程が、作業領域管理処理システムにおいて少なくとも一つの情報ストリームを獲得する工程をさらに含み、提供する工程が、獲得された該少なくとも一つの情報ストリームにさらに基づいて、カスタマイズされた対話型作業領域を提供する工程をさらに含む、請求項1記載の方法。
【請求項３】
作業領域管理処理システムにおいて少なくとも一つの情報ストリームを獲得する工程が、コンピューティングシステムと関連付けられたユーザプロフィールの記憶に基づいて該少なくとも一つの情報ストリームを獲得する工程をさらに含む、請求項2記載の方法。
【請求項４】
獲得する工程が、作業領域管理処理システムにおいて、少なくとも一つのリアルタイム通信システムの選択を獲得する工程をさらに含み、提供する工程が、獲得された該少なくとも一つのリアルタイム通信システムの選択にさらに基づいて、カスタマイズされた対話型作業領域を提供する工程をさらに含む、請求項1記載の方法。
【請求項５】
作業領域管理処理システムにおいて、選択のために一つまたは複数の圧縮情報オブジェクトを求める検索の結果を獲得し、デフォルトの対話型作業領域に追加する工程をさらに含む、請求項1記載の方法。
【請求項６】
一つまたは複数の圧縮情報オブジェクトを求める検索が、一つまたは複数の情報オブジェクトカテゴリのうちの少なくとも一つの選択に基づくものである、請求項5記載の方法。
【請求項７】
作業領域管理処理システムを用いて、一つまたは複数の圧縮情報オブジェクトのうちの少なくとも一つを生成する工程;および
コンピューティングシステムによる選択のために生成された前記一つまたは複数の圧縮情報オブジェクトのうちの前記少なくとも一つを提供し、デフォルトの対話型作業領域に追加する工程
をさらに含む、請求項1記載の方法。
【請求項８】
作業領域管理処理システムにおいて、一つまたは複数の圧縮情報オブジェクトのうちの一つに対する複数の動作のうちの一つを獲得し、実行する工程;および
カスタマイズされた対話型作業領域において、前記一つまたは複数の圧縮情報オブジェクトのうちの前記一つに対する前記複数の動作のうちの獲得された前記一つを実行する前記工程の結果を提供する工程
をさらに含む、請求項1記載の方法。
【請求項９】
複数の動作が、カスタマイズされた対話型作業領域内の一つまたは複数の圧縮情報オブジェクトのうちの一つをスナップショットビューへと拡大すること、前記カスタマイズされた対話型作業領域内の該スナップショットビューに情報を入力すること、前記カスタマイズされた対話型作業領域内の前記一つまたは複数の圧縮情報オブジェクトのうちの前記一つを移動し、ドラッグすること、および、前記カスタマイズされた対話型作業領域内の前記一つまたは複数の圧縮情報オブジェクトのうちの前記一つからの一つまたは複数のリストのうちの少なくとも一つを検査することを少なくとも含む、請求項8記載の方法。
【請求項１０】
作業領域管理処理システムにおいて、複数の選択された動作のうちの獲得された一つを実行する工程が、一つまたは複数の圧縮情報オブジェクトのうちの選択された一つにアプリケーションツールを適用する工程、および、カスタマイズされた対話型作業領域において該アプリケーションツールを適用する該工程の結果を提供する工程をさらに含む、請求項8記載の方法。
【請求項１１】
アプリケーションツールを適用する工程の結果を提供する工程が、カスタマイズされた対話型作業領域において結果を情報オーバーレイとして提供する工程をさらに含む、請求項10記載の方法。
【請求項１２】
一つまたは複数の圧縮情報オブジェクトのうちの選択された一つにアプリケーションツールを適用する工程が、
作業領域管理処理システムにおいて、前記一つまたは複数の圧縮情報オブジェクトのうちの少なくとも一つの少なくとも一つの局面の成績を決定する工程;および
コンピューティングシステムにおいて、カスタマイズされた対話型作業領域内の前記一つまたは複数の圧縮情報オブジェクトのうちの前記少なくとも一つに前記決定された成績を表示する工程
をさらに含む、請求項10記載の方法。
【請求項１３】
一つまたは複数の圧縮情報オブジェクトのうちの選択された一つにアプリケーションツールを適用する工程が、
作業領域管理処理システムにおいて、スナップショットビューへと拡大されているカスタマイズされた対話型作業領域内の一つまたは複数の圧縮情報オブジェクトのうちの少なくとも一つの少なくとも一つの局面の成績を決定する工程;および
コンピューティングシステムにおいて、カスタマイズされた対話型作業領域内の前記スナップショットビューに、前記一つまたは複数の圧縮情報オブジェクトのうちの前記少なくとも一つの前記決定された成績を表示する工程
をさらに含む、請求項10記載の方法。
【請求項１４】
実行する工程が、選択された一つまたは複数の圧縮情報オブジェクトおよび選択された一つまたは複数のアプリケーションツールと共に、カスタマイズされた対話型作業領域において存続しつつ、通信のためにリアルタイム通信システムを確定する工程を含む、請求項8記載の方法。
【請求項１５】
カスタマイズされた対話型作業領域を保存し、記憶する工程をさらに含む、請求項1記載の方法。
【請求項１６】
コンピューティングシステムにおいて、一つまたは複数のさらに別のカスタマイズされた対話型作業領域を提供する工程をさらに含む、請求項15記載の方法。
【請求項１７】
カスタマイズされた対話型作業領域をデフォルトの対話型作業領域にリセットする工程をさらに含む、請求項1記載の方法。
【請求項１８】
一つまたは複数の圧縮情報オブジェクトが、金融情報、イベント情報、ニュース情報、製品情報および個人情報のうちの少なくとも一つを含む、請求項1記載の方法。
【請求項１９】
提供されたユーザプロフィール情報に基づき、作業領域管理処理システムにおいて、カスタマイズされた対話型作業領域と関連付けられたユーザプロフィールを生成し、保存し、記憶する工程をさらに含む、請求項1記載の方法。
【請求項２０】
カスタマイズされた対話型作業領域に関連する一つまたは複数の動作を監視する工程;および
監視された前記一つまたは複数の動作に基づき、作業領域管理処理システムにおいて、ユーザプロフィールの記憶を補足する工程
をさらに含む、請求項19記載の方法。
【請求項２１】
補足されたユーザプロフィールの記憶に基づき、作業領域管理処理システムにおいて、カスタマイズされた対話型作業領域内の一つまたは複数の圧縮情報オブジェクトのうちの少なくとも一つおよび少なくとも一つの他の表示要素を調整する工程をさらに含む、請求項20記載の方法。
【請求項２２】
作業領域管理処理システムにおいて一つまたは複数の訓練の完了を監視する工程;
前記一つまたは複数の訓練の前記監視された完了に基づき、前記作業領域管理処理システムにおいて、習得レベル評価を決定する工程;および
カスタマイズされた対話型作業領域において前記決定された習得レベル評価を提供する工程
をさらに含む、請求項19記載の方法。
【請求項２３】
カスタマイズされた対話型作業領域内の圧縮情報オブジェクトのうちの一つまたは複数を利用し、作業領域管理処理システムを用いて、一つまたは複数の投資取引の完了を実行する工程をさらに含む、請求項1記載の方法。
【請求項２４】
作業領域管理処理システムを用いて、カスタマイズされた対話型作業領域の一つまたは複数の部分をナビゲートして該部分と対話するための前記カスタマイズされた対話型作業領域におけるナビゲーションマップを提供する工程をさらに含む、請求項1記載の方法。
【請求項２５】
少なくとも一つのプロセッサによって実行されると該プロセッサに以下を含む工程を実行させる機械実行可能コードを含む、対話型情報作業領域を提供するための命令が記憶されているコンピュータ可読媒体:
作業領域管理処理システムにおいて、選択された一つまたは複数の圧縮情報オブジェクトおよび一つまたは複数のアプリケーションツールを獲得する工程;および
コンピューティングシステムにおいて、前記選択された一つまたは複数の圧縮情報オブジェクトおよび一つまたは複数のアプリケーションツールで更新されたデフォルトの対話型作業領域に基づいて、前記作業領域管理処理システムから、該一つまたは複数のアプリケーションツールのうちの少なくとも一つが、カスタマイズされた対話型作業領域内からの該一つまたは複数の圧縮情報オブジェクトのうちの少なくとも一つ、および該カスタマイズされた対話型作業領域と対話することを可能にするように構成された、ビデオゲーム表示グラフィカル・ユーザ・インターフェース形式の非ビデオゲームベースの情報のための該カスタマイズされた対話型作業領域を提供する工程。
【請求項２６】
獲得する工程が、作業領域管理処理システムにおいて少なくとも一つの情報ストリームを獲得する工程をさらに含み、提供する工程が、獲得された該少なくとも一つの情報ストリームにさらに基づいて、カスタマイズされた対話型作業領域を提供する工程をさらに含む、請求項25記載の媒体。
【請求項２７】
作業領域管理処理システムにおいて少なくとも一つの情報ストリームを獲得する工程が、コンピューティングシステムと関連付けられたユーザプロフィールの記憶に基づいて前記少なくとも一つの情報ストリームを獲得する工程をさらに含む、請求項26記載の媒体。
【請求項２８】
獲得する工程が、作業領域管理処理システムにおいて少なくとも一つのリアルタイム通信システムの選択を獲得する工程をさらに含み、提供する工程が、獲得された該少なくとも一つのリアルタイム通信システムの該選択にさらに基づいて、カスタマイズされた対話型作業領域を提供する工程をさらに含む、請求項25記載の媒体。
【請求項２９】
作業領域管理処理システムにおいて、選択のために一つまたは複数の圧縮情報オブジェクトを求める検索の結果を獲得し、デフォルトの対話型作業領域に追加する工程をさらに含む、請求項25記載の媒体。
【請求項３０】
一つまたは複数の圧縮情報オブジェクトを求める検索が、一つまたは複数の情報オブジェクトカテゴリのうちの少なくとも一つの選択に基づくものである、請求項29記載の媒体。
【請求項３１】
作業領域管理処理システムを用いて、一つまたは複数の圧縮情報オブジェクトのうちの少なくとも一つを生成する工程;および
コンピューティングシステムによる選択のために生成された前記一つまたは複数の圧縮情報オブジェクトのうちの前記少なくとも一つを提供し、デフォルトの対話型作業領域に追加する工程
をさらに含む、請求項25記載の媒体。
【請求項３２】
一つまたは複数の圧縮情報オブジェクトのうちの一つに対する複数の動作のうちの一つを獲得し、実行する工程;および
カスタマイズされた対話型作業領域において、前記一つまたは複数の圧縮情報オブジェクトのうちの前記一つに対する前記複数の動作のうちの獲得された前記一つを実行する前記工程の結果を提供する工程
をさらに含む、請求項25記載の方法。
【請求項３３】
複数の動作が少なくとも、カスタマイズされた対話型作業領域内の一つまたは複数の圧縮情報オブジェクトのうちの一つをスナップショットビューへと拡大すること、前記カスタマイズされた対話型作業領域内の該スナップショットビューに情報を入力すること、前記カスタマイズされた対話型作業領域内の前記一つまたは複数の圧縮情報オブジェクトのうちの前記一つを移動し、ドラッグすること、および前記カスタマイズされた対話型作業領域内の前記一つまたは複数の圧縮情報オブジェクトのうちの前記一つからの一つまたは複数のリストのうちの少なくとも一つを検査することを含む、請求項32記載の媒体。
【請求項３４】
作業領域管理処理システムにおいて、複数の選択された動作のうちの獲得された一つを実行する工程が、一つまたは複数の圧縮情報オブジェクトのうちの選択された一つにアプリケーションツールを適用する工程、およびカスタマイズされた対話型作業領域において該アプリケーションツールを適用する該工程の結果を提供する工程をさらに含む、請求項32記載の媒体。
【請求項３５】
アプリケーションツールを適用する工程の結果を提供する工程が、カスタマイズされた対話型作業領域において結果を情報オーバーレイとして提供する工程をさらに含む、請求項34記載の媒体。
【請求項３６】
一つまたは複数の圧縮情報オブジェクトのうちの選択された一つにアプリケーションツールを適用する工程が、
作業領域管理処理システムにおいて、前記一つまたは複数の圧縮情報オブジェクトのうちの少なくとも一つの少なくとも一つの局面の成績を決定する工程;および
コンピューティングシステムにおいて、カスタマイズされた対話型作業領域内の前記一つまたは複数の圧縮情報オブジェクトのうちの前記少なくとも一つに前記決定された成績を表示する工程
をさらに含む、請求項34記載の媒体。
【請求項３７】
一つまたは複数の圧縮情報オブジェクトのうちの選択された一つにアプリケーションツールを適用する工程が、
作業領域管理処理システムにおいて、スナップショットビューへと拡大されているカスタマイズされた対話型作業領域内の前記一つまたは複数の圧縮情報オブジェクトのうちの少なくとも一つの少なくとも一つの局面の成績を決定する工程;および
コンピューティングシステムにおいて、前記カスタマイズされた対話型作業領域内の前記スナップショットビューに、前記一つまたは複数の圧縮情報オブジェクトのうちの前記少なくとも一つの前記決定された成績を表示する工程
をさらに含む、請求項34記載の媒体。
【請求項３８】
獲得された動作を実行する工程が、選択された一つまたは複数の圧縮情報オブジェクトおよび選択された一つまたは複数のアプリケーションツールと共に、カスタマイズされた対話型作業領域において存続しつつ、通信のためにリアルタイム通信システムを確定する工程を含む、請求項32記載の媒体。
【請求項３９】
カスタマイズされた対話型作業領域を記憶する工程をさらに含む、請求項25記載の媒体。
【請求項４０】
コンピューティングシステムにおいて、一つまたは複数のさらに別のカスタマイズされた対話型作業領域を提供する工程をさらに含む、請求項39記載の媒体。
【請求項４１】
カスタマイズされた対話型作業領域をデフォルトの対話型作業領域にリセットする工程をさらに含む、請求項25記載の媒体。
【請求項４２】
一つまたは複数の圧縮情報オブジェクトが、金融情報、イベント情報、ニュース情報、製品情報および個人情報のうちの少なくとも一つを含む、請求項25記載の媒体。
【請求項４３】
提供されたユーザプロフィール情報に基づき、作業領域管理処理システムにおいて、カスタマイズされた対話型作業領域と関連付けられたユーザプロフィールを生成し、記憶する工程をさらに含む、請求項25記載の媒体。
【請求項４４】
カスタマイズされた対話型作業領域に関連する一つまたは複数の動作を監視する工程;および
監視された前記一つまたは複数の動作に基づいてユーザプロフィールの記憶を補足する工程をさらに含む、請求項43記載の媒体。
【請求項４５】
補足されたユーザプロフィールの記憶に基づき、カスタマイズされた対話型作業領域内の一つまたは複数の圧縮情報オブジェクトのうちの一つの少なくとも一つおよび少なくとも一つの他の表示要素を調整する工程をさらに含む、請求項44記載の媒体。
【請求項４６】
一つまたは複数の訓練の完了を監視する工程;
前記一つまたは複数の訓練の前記監視された完了に基づいて習得レベル評価を決定する工程;および
ユーザプロフィールの記憶に前記決定された習得レベル評価を記憶する工程
をさらに含み、少なくとも前記ユーザプロフィールの記憶内の前記記憶された習得レベル評価が、カスタマイズされた対話型作業領域において表示される、請求項43記載の媒体。
【請求項４７】
カスタマイズされた対話型作業領域内の圧縮情報オブジェクトのうちの一つまたは複数を利用し、一つまたは複数の投資取引の完了を実行する工程をさらに含む、請求項25記載の媒体。
【請求項４８】
作業領域管理処理システムを用いて、カスタマイズされた対話型作業領域の一つまたは複数の部分をナビゲートして該部分と対話するための前記カスタマイズされた対話型作業領域におけるナビゲーションマップを提供する工程をさらに含む、請求項25記載の媒体。
【請求項４９】
選択された一つまたは複数の圧縮情報オブジェクトおよび一つまたは複数のアプリケーションツールを獲得する作業領域管理処理システムにおけるカスタマイズシステムと、
コンピューティングシステムにおいて、前記選択された一つまたは複数の圧縮情報オブジェクトおよび一つまたは複数のアプリケーションツールが読み込まれたデフォルトの対話型作業領域に基づいて、前記一つまたは複数のアプリケーションツールのうちの少なくとも一つが、カスタマイズされた対話型作業領域内からの前記一つまたは複数の圧縮情報オブジェクトのうちの少なくとも一つ、および該カスタマイズされた対話型作業領域と対話することを可能にするように構成された、ビデオゲーム表示グラフィカル・ユーザ・インターフェース形式の該カスタマイズされた対話型作業領域を提供する前記作業領域管理処理システムにおける作業領域処理システムと
を含む、対話型情報作業領域提供システム。
【請求項５０】
カスタマイズシステムが少なくとも一つの情報ストリームを獲得し、作業領域処理システムがさらに、獲得された該少なくとも一つの情報ストリームに基づいて、カスタマイズされた対話型作業領域を提供する、請求項49記載のシステム。
【請求項５１】
カスタマイズシステムが、コンピューティングシステムと関連付けられたユーザプロフィールの記憶に基づいて少なくとも一つの情報ストリームを獲得する、請求項50記載のシステム。
【請求項５２】
カスタマイズシステムが少なくとも一つのリアルタイム通信システムの選択を獲得し、作業領域処理システムがさらに、獲得された該少なくとも一つのリアルタイム通信システムの選択に基づいて、カスタマイズされた対話型作業領域を提供する、請求項49記載のシステム。
【請求項５３】
カスタマイズシステムが、選択のために一つまたは複数の圧縮情報オブジェクトを求める検索の結果を獲得し、デフォルトの対話型作業領域に追加する、請求項49記載のシステム。
【請求項５４】
カスタマイズシステムが、一つまたは複数の情報オブジェクトカテゴリのうちの少なくとも一つの選択に基づいて検索の結果を獲得する、請求項53記載のシステム。
【請求項５５】
作業領域処理システムが、一つまたは複数の圧縮情報オブジェクトのうちの少なくとも一つを生成し、コンピューティングシステムによる選択のために生成された前記一つまたは複数の圧縮情報オブジェクトのうちの前記少なくとも一つを提供し、デフォルトの対話型作業領域に追加する、請求項49記載のシステム。
【請求項５６】
作業領域処理システムが、一つまたは複数の圧縮情報オブジェクトのうちの一つに対する複数の動作のうちの一つの選択を獲得し、実行し、カスタマイズされた対話型作業領域において、該一つまたは複数の圧縮情報オブジェクトのうちの該一つに対する該複数の動作のうちの獲得された該一つの該実行の結果を提供する、請求項49記載のシステム。
【請求項５７】
複数の動作が少なくとも、カスタマイズされた対話型作業領域内の一つまたは複数の圧縮情報オブジェクトのうちの一つをスナップショットビューへと拡大すること、前記カスタマイズされた対話型作業領域内の該スナップショットビューに情報を入力すること、前記カスタマイズされた対話型作業領域内の前記一つまたは複数の圧縮情報オブジェクトのうちの前記一つを移動すること、および前記カスタマイズされた対話型作業領域内の前記一つまたは複数の圧縮情報オブジェクトのうちの前記一つからのリストを検査することを含む、請求項56記載のシステム。
【請求項５８】
作業領域処理システムが、一つまたは複数の圧縮情報オブジェクトのうちの一つに対する複数の動作のうちの獲得された一つを実行し、前記一つまたは複数の圧縮情報オブジェクトのうちの選択された一つに対するアプリケーションツールの適用の実行をさらに含み、カスタマイズされた対話型作業領域において、前記一つまたは複数の圧縮情報オブジェクトのうちの該選択された一つに対する該アプリケーションツールの該適用の該実行の結果を提供する、請求項56記載のシステム。
【請求項５９】
作業領域処理システムが、カスタマイズされた対話型作業領域において結果を情報オーバーレイとして提供する、請求項58記載のシステム。
【請求項６０】
アプリケーションツールの適用を実行する作業領域処理システムがさらに、一つまたは複数の圧縮情報オブジェクトのうちの少なくとも一つの少なくとも一つの局面の成績を決定し、カスタマイズされた対話型作業領域内の前記一つまたは複数の圧縮情報オブジェクトのうちの前記少なくとも一つの該決定された成績を提供する、請求項58記載のシステム。
【請求項６１】
アプリケーションツールの適用を実行する作業領域処理システムがさらに、スナップショットビューへと拡大されているカスタマイズされた対話型作業領域内の一つまたは複数の圧縮情報オブジェクトのうちの少なくとも一つの少なくとも一つの局面を決定し、前記カスタマイズされた対話型作業領域内の該スナップショットビューにおいて、前記一つまたは複数の圧縮情報オブジェクトのうちの該少なくとも一つの該決定された成績を提供する、請求項58記載のシステム。
【請求項６２】
作業領域処理システムが、カスタマイズされた対話型作業領域において存続しつつリアルタイム通信システムの確定の選択を獲得し、実行する、請求項56記載のシステム。
【請求項６３】
作業領域処理システムが、カスタマイズされた対話型作業領域を記憶する、請求項49記載のシステム。
【請求項６４】
作業領域処理システムがさらに、コンピューティングシステムに一つまたは複数のさらに別のカスタマイズされた対話型作業領域を提供する、請求項63記載のシステム。
【請求項６５】
作業領域処理システムが、カスタマイズされた対話型作業領域をデフォルトの対話型作業領域にリセットする、請求項49記載のシステム。
【請求項６６】
一つまたは複数の圧縮情報オブジェクトが、金融情報、イベント情報、ニュース情報、製品情報および個人情報のうちの少なくとも一つを含む、請求項49記載のシステム。
【請求項６７】
作業領域処理システムが、提供されたユーザプロフィール情報に基づいて、カスタマイズされた対話型作業領域と関連付けられたユーザプロフィールを生成し、記憶する、請求項49記載のシステム。
【請求項６８】
作業領域処理システムが、カスタマイズされた対話型作業領域に関連する一つまたは複数の動作を監視し、監視された該一つまたは複数の動作に基づいてユーザプロフィールの記憶を補足する、請求項67記載のシステム。
【請求項６９】
作業領域処理システムが、補足されたユーザプロフィールの記憶に基づき、カスタマイズされた対話型作業領域内の一つまたは複数の圧縮情報オブジェクトのうちの一つの少なくとも一つおよび少なくとも一つの他の表示要素を調整する、請求項68記載のシステム。
【請求項７０】
作業領域処理システムが、一つまたは複数の訓練の完了を監視し、該一つまたは複数の訓練の該監視された完了に基づいて習得レベル評価を決定し、ユーザプロフィールの記憶に該決定された習得レベル評価を記憶し、少なくとも前記ユーザプロフィールの記憶内の該記憶された習得レベル評価が、カスタマイズされた対話型作業領域における表示のために提供される、請求項67記載のシステム。
【請求項７１】
作業領域処理システムが、カスタマイズされた対話型作業領域内の圧縮情報オブジェクトのうちの一つまたは複数を利用して一つまたは複数の投資取引を完了する、請求項49記載のシステム。
【請求項７２】
作業領域処理システムが、カスタマイズされた対話型作業領域の一つまたは複数の部分をナビゲートして該部分と対話するために前記カスタマイズされた対話型作業領域におけるナビゲーションマップを提供する、請求項49記載のシステム。
【請求項７３】
情報と対話し、情報を操作するための方法であって、以下の工程を含む方法:
ビデオゲーム表示グラフィカル・ユーザ・インターフェース形式の非ビデオゲームベースの情報のための少なくとも一つのカスタマイズされた対話型作業領域を表示する工程;
前記カスタマイズされた対話型作業領域において一つまたは複数の情報オブジェクトを提供する工程;
アプリケーションツールおよび特徴操作のうちの少なくとも一つによって前記情報オブジェクトのうちの少なくとも一つに対して少なくとも一つの動作を実行する工程;および
前記情報オブジェクトのうちの前記少なくとも一つに対して行われた前記動作に基づいて前記カスタマイズされた対話型作業領域を表示する工程。
【請求項７４】
対話型作業領域において一つまたは複数のアプリケーションツールを提供する工程;
前記アプリケーションツールのうちの一つを用いて情報オブジェクトのうちの少なくとも一つに対して動作を実行する工程;および
カスタマイズされた対話型作業領域において前記情報オブジェクトに対して実行された前記少なくとも一つの動作および前記情報オブジェクトの分析の結果を表示する工程
をさらに含む、請求項73記載の方法。
【請求項７５】
カスタマイズされた対話型作業領域のうちの少なくとも一つにおいて少なくとも一つの情報ストリームを提供する工程をさらに含む、請求項73記載の方法。
【請求項７６】
一つまたは複数のさらに別のカスタマイズされた対話型作業領域を作成する工程をさらに含む、請求項73記載の方法。
【請求項７７】
少なくとも一つの動作が、情報オブジェクトのうちの一つまたは複数を分析すること、ソートすること、検索すること、位置決めすること、表示すること、作成すること、移動すること、ドラッグすること、ドロップすること、反転すること、開くこと、閉じること、選択すること、整理すること、グループ化すること、記憶すること、追加すること、削除すること、送ること、受け取ること、および入力することのうちの少なくとも一つを含む、請求項73記載の方法。
【請求項７８】
一つまたは複数の情報オブジェクトが、構造化形式または非構造化形式としての、一般情報、金融情報、イベント情報、ニュース情報、マーケティング情報、製品情報および個人情報のうちの少なくとも一つを含む、請求項73記載の方法。
【請求項７９】
少なくとも一つのプロセッサによって実行されると該プロセッサに以下を含む工程を実行させる機械実行可能コードを含む、情報と対話し、情報を操作するための方法のための命令が記憶されているコンピュータ可読媒体:
ビデオゲーム表示グラフィカル・ユーザ・インターフェース形式の非ビデオゲームベースの情報のための少なくとも一つのカスタマイズ可能な対話型作業領域を表示する工程;
前記カスタマイズされた対話型作業領域において一つまたは複数の情報オブジェクトを提供する工程;
アプリケーションツールおよび特徴操作のうちの少なくとも一つによって前記情報オブジェクトのうちの少なくとも一つに対して少なくとも一つの動作を実行する工程;および
前記情報オブジェクトのうちの前記少なくとも一つに対して行われた前記動作に基づいて、前記カスタマイズされた対話型作業領域を表示する工程。
【請求項８０】
対話型作業領域において一つまたは複数のアプリケーションツールを提供する工程;
前記アプリケーションツールのうちの一つを用いて情報オブジェクトのうちの少なくとも一つに対して動作を実行する工程;および
カスタマイズされた対話型作業領域において前記情報オブジェクトに対して実行された前記少なくとも一つの動作の結果を表示する工程
をさらに含む、請求項79記載の媒体。
【請求項８１】
カスタマイズされた対話型作業領域のうちの少なくとも一つにおいて少なくとも一つの情報ストリームを提供する工程をさらに含む、請求項79記載の媒体。
【請求項８２】
一つまたは複数のさらに別のカスタマイズされた対話型作業領域を作成する工程をさらに含む、請求項79記載の方法。
【請求項８３】
少なくとも一つの動作が、情報オブジェクトのうちの一つまたは複数を分析すること、ソートすること、検索すること、位置決めすること、表示すること、作成すること、移動すること、ドラッグすること、ドロップすること、反転すること、開くこと、閉じること、選択すること、整理すること、グループ化すること、記憶すること、追加すること、削除すること、送ること、受け取ること、および入力することのうちの少なくとも一つを含む、請求項79記載の方法。
【請求項８４】
一つまたは複数の情報オブジェクトが、構造化形式または非構造化形式としての、一般情報、金融情報、イベント情報、ニュース情報、マーケティング情報、製品情報および個人情報のうちの少なくとも一つを含む、請求項79記載の方法。
【請求項８５】
ビデオゲーム表示グラフィカル・ユーザ・インターフェース形式の非ビデオゲームベースの情報のためのカスタマイズ可能な対話型作業領域において一つまたは複数の選択された情報オブジェクトを表示するコンピューティングシステムにおける表示システムと、
アプリケーションツールおよび特徴操作のうちの少なくとも一つによって前記情報オブジェクトのうちの少なくとも一つに対して少なくとも一つの動作を実行する前記コンピューティングシステムにおける対話処理システムと
を含み、前記表示システムが、前記情報オブジェクトのうちの前記少なくとも一つに対して行われた前記動作に基づいて、前記カスタマイズ可能な対話型作業領域を表示する、情報と対話し、情報を操作するシステム。
【請求項８６】
対話処理システムが、対話型作業領域において一つまたは複数のアプリケーションツールを提供し、該アプリケーションツールのうちの一つを用いて情報オブジェクトのうちの少なくとも一つに対して動作を実行し、表示システムが、カスタマイズされた対話型作業領域において情報オブジェクトに対して行われた動作の結果を表示する、請求項85記載のシステム。
【請求項８７】
対話処理システムが、カスタマイズされた対話型作業領域のうちの少なくとも一つにおいて少なくとも一つの情報ストリームを提供する、請求項85記載のシステム。
【請求項８８】
表示システムが、一つまたは複数のさらに別のカスタマイズされた対話型作業領域を表示する、請求項85記載のシステム。
【請求項８９】
少なくとも一つの動作が、情報オブジェクトのうちの一つまたは複数を分析すること、ソートすること、検索すること、位置決めすること、表示すること、作成すること、移動すること、ドラッグすること、ドロップすること、反転すること、開くこと、閉じること、選択すること、整理すること、グループ化すること、記憶すること、追加すること、削除すること、送ること、受け取ること、および入力することのうちの少なくとも一つを含む、請求項85記載のシステム。
【請求項９０】
一つまたは複数の情報オブジェクトが、構造化形式または非構造化形式としての、一般情報、金融情報、イベント情報、ニュース情報、マーケティング情報、製品情報および個人情報のうちの少なくとも一つを含む、請求項85記載のシステム。